(57)【要約】  本発明のある実施形態は、遮蔽電線路システムのための導管を提供する。導管は、１つの底壁、底壁から延びる２つの側壁、および側壁のそれぞれから延びる複数の指部を含む。隣接した指部は、少なくとも１つの架橋部品によって連結される。底壁、側壁、および指部の一部は、架橋部品を含み、遮蔽される。
2014503167.tif 000002
【特許請求の範囲】
【請求項１】
遮蔽電線路システムのための導管であって、前記導管は、
１つの底壁と、
２つの側壁であって、前記側壁のそれぞれは、前記底壁から延び、前記底壁から離間され、且つ前記底壁に平行な頂面を有する、２つの側壁と、
前記側壁のそれぞれの前記頂面から延びる複数の指部であって、隣接した指部は、前記頂面から離間した少なくとも１つの架橋部品によって連結される、複数の指部と、を備え、
前記底壁、前記側壁、および前記架橋部品を含んだ前記指部の少なくとも一部は、遮蔽される、導管。
【請求項２】
前記側壁は、前記底壁のそれぞれの長手縁部に沿って延びる、請求項１に記載の導管。
【請求項３】
前記側壁は、前記底壁に垂直である、請求項１に記載の導管。
【請求項４】
前記指部は、前記側壁に平行である、請求項１に記載の導管。
【請求項５】
隣接した指部は、少なくとも１つのスロットによって分離される、請求項１に記載の導管。
【請求項６】
前記底壁、前記側壁、および前記指部は、電線を経路指定するためのチャネルを形成する、請求項１に記載の導管。
【請求項７】
前記チャネルはＵ字形である、請求項６に記載の導管。
【請求項８】
前記底壁、前記側壁、および前記架橋部品を含んだ前記指部の少なくとも一部は、導電層および非導電層を含む、請求項１に記載の導管。
【請求項９】
前記導電層は、前記導管の外側に配置され、前記非導電層は、前記導管の内側に配置される、請求項８に記載の導管。
【請求項１０】
前記導電層は、導体箔を含む、請求項８に記載の導管。
【請求項１１】
前記導電層は、前記非導電層とともに一体形成された導電性充填剤を含む、請求項８に記載の導管。
【請求項１２】
前記指部のそれぞれは、被覆を前記導管に固定するためのラッチを含む、請求項１に記載の導管。
【請求項１３】
前記ラッチは、それぞれの前記指部の遠位端に配置される、請求項１２に記載の導管。
【請求項１４】
前記遮蔽電線路システムは、前記導管に取外し可能に連結された被覆を含む、請求項１に記載の導管。
【請求項１５】
前記被覆の少なくとも一部は遮蔽される、請求項１４に記載の導管。
【請求項１６】
前記被覆は、１つの頂壁および該頂壁から延びる２つの側壁を含む、請求項１４に記載の導管。
【請求項１７】
前記側壁は、前記頂壁のそれぞれの長手縁部に沿って延びる、請求項１６に記載の導管。
【請求項１８】
前記側壁は、前記頂壁に垂直である、請求項１６に記載の導管。
【請求項１９】
前記側壁のそれぞれは、前記導管の前記指部上の対応するラッチに係合するためのラッチを含む、請求項１６に記載の導管。
【請求項２０】
前記ラッチは、それぞれの前記側壁の遠位端に配置される、請求項１９に記載の導管。
【発明の詳細な説明】
【技術分野】
【０００１】
本発明は、電線路システムに関し、より詳細には、遮蔽電線路システムに関する。
【背景技術】
【０００２】
非遮蔽電線路システムは、通常プラスチックから作成され、プラスチックは比較的安価であり金属に比べて軽量である。しかし、プラスチックは伝導性でなく、したがって電気的ノイズを効果的に消散しない。加えて、非遮蔽電線路システムは、通常スロットのある壁を有し、スロットのある壁は、電気的ノイズを効果的に消散する非遮蔽電線路システムの能力をさらに制限する。それ故、非遮蔽電線路システムを通る経路を指定された電線は、例えば、工業制御システムにおいて、電線ならびに、可変周波数駆動、電力供給、および高速カウンタなどの、非遮蔽電線路システムにごく接近した他の電気部品によって発生された電気的ノイズの影響を受けやすい
【０００３】
逆に、遮蔽電線路システムは、通常金属から作成され、金属は導電性であり、したがって電気的ノイズを効果的に消散する。しかし、金属は比較的高額であり、プラスチックに比べて重い。加えて、遮蔽電線路システムは、通常ソリッド壁を有し、ソリッド壁は遮蔽電線路システムのアクセスの可能性を制限する。
【発明の概要】
【発明が解決しようとする課題】
【０００４】
したがって、安価で、軽量、かつアクセス可能な遮蔽電線路システムが必要とされている。
【課題を解決するための手段】
【０００５】
本発明のある実施形態は、遮蔽電線路システムのための導管を提供する。導管は、１つの底壁、底壁から延びる２つの側壁、および側壁のそれぞれから延びる複数の指部を含む。隣接した指部は、少なくとも１つの架橋部品によって連結される。底壁、側壁、および指部の一部は、架橋部品を含み、遮蔽される。
【図面の簡単な説明】
【０００６】
【図１】本発明の実施形態による、遮蔽電線路システムの斜視図である。
【図２】図１の遮蔽電線路システムの断面図である。
【図３】図２の遮蔽電線路システムの拡大図である。
【図４】本発明の代替的実施形態による、遮蔽電線路システムの部分側面図である。
【図５】本発明の代替的実施形態による、遮蔽電線路システムの部分側面図である。
【図６】本発明の代替的実施形態による、遮蔽電線路システムの部分側面図である。
【図７】本発明の代替的実施形態による、遮蔽電線路システムの斜視図である。
【図８】図７の遮蔽電線路システムの断面図である。
【図９】図８の遮蔽電線路システムの拡大図である。
【図１０】図８の遮蔽電線路システムの拡大図である。
【図１１】本発明の代替的実施形態による、遮蔽電線路システムの斜視図である。
【図１２】本発明の実施形態による、遮蔽分割壁の斜視図である。
【図１３】図１２の遮蔽分割壁の側面図である。
【図１４】電線路システム内に配置された、図１２の遮蔽分割壁の側面図である。
【図１５】２つの電線路システムの間に配置された、図１２の遮蔽分割壁の側面図である。
【図１６】Ｕ字形チャネルを形成するように配置された、図１２の２つの遮蔽分割壁の斜視図である。
【図１７】図１６の遮蔽分割壁の側面図である。
【発明を実施するための形態】
【０００７】
図１〜１１は、本発明のいくつかの実施形態による、遮蔽電線路システム１００を示す。
【０００８】
図１に示されたように、遮蔽電線路システム１００は、導管１１０および被覆１２０を含む。好ましくは、導管１１０および被覆１２０は、ポリ塩化ビニル（「ＰＶＣ」）などのプラスチックまたは他の非導電性材料から作成されるが、導管１１０および／または被覆１２０は、鋼などの金属または他の導電性材料から作成されることが同様に企図される。
【０００９】
図２に示されたように、導管１１０は、１つの底壁１１１、底壁１１１から延びる２つの側壁１１２、および側壁１１２のそれぞれから延びる複数の指部１１３を含む。好ましくは、側壁１１２は、底壁１１１のそれぞれの長手縁部に沿って延び、底壁１１１に垂直である。指部１１３は、側壁１１２に平行である。ともに底壁１１１、側壁１１２、および指部１１３は、そこを通る電線を経路指定するための、Ｕ字形チャネルなどのチャネル１１４を形成する。
【００１０】
図３に示されたように、導管１１０は、側壁１１２を底壁１１１から工具なしで取り外すための、底壁１１１と側壁１１２との交点に配置された切欠き１１５Ａを含む。加えて、導管１１０は、指部１１３を側壁１１２から工具なしで取り外すための、側壁１１２と指部１１３との交点に配置された切欠き１１５Ｂを含む。
【００１１】
図１を再度参照すると、隣接した指部１１３は、少なくとも１つのスロット１１６によって分離され、スロット１１６はチャネル１１４へのアクセスを提供する。本発明のある実施形態では、隣接した指部１１３は、少なくとも１つの架橋部品１１７（図１、４〜６、および１１）、および好ましくは複数の架橋部品１１７によって連結される。導管１１０は、架橋部品１１７を指部１１３から工具なしで取り外すための、指部１１３と架橋部品１１７との交点に配置された切欠き１１５Ｃを含む。指部１１３のそれぞれは、被覆１２０を導管１１０に固定するための、好ましくはその遠位端に配置された、ラッチ１１８を含む。
【００１２】
上述されたように、導管１１０は、側壁１１２、指部１１３、および／または架橋部品１１４を工具なしで取り外すために、穿孔されるか、または刻み目をつけてもよい（例えば、切欠き１１５Ａ、１１５Ｂ、および１１５Ｃ）。
【００１３】
好ましくは、導管１１０または導管１１０の少なくとも一部は遮蔽される。例えば、図２および３に示されたように、底壁１１１、側壁１１２、およびラッチ１１８の下の指部１１３の一部は、架橋部品１１７を含んで、導体箔（例えば、アルミニウム、銅、および／またはニッケル）などの導電層１１９Ａ、ならびにプラスチック（例えば、ＰＶＣ）などの非導電層１１９Ｂを含む。好ましくは、導電層１１９Ａは、導管１１０の外側に配置され、非導電層１１９Ｂは導管１１０の内側に配置される。ラッチ１１８を含んだ指部１１３の残りの部分は、非導電層１１９Ｂのみを含む。別法として、図７〜９に示されたように、底壁１１１および側壁１１２のみが、導電層１１９Ａおよび非導電層１１９Ｂを含む。ラッチ１１８を含んだ指部１１３は、非導電層１１９Ｂのみを含む。別法として、金属薄片および粉末（例えば、アルミニウム、銅、および／またはニッケル）などの導電性充填剤は、個別の導電層１１９Ａの必要性を取り除く可能性がある、非導電層１１９Ｂで一体形成されてもよい。別法として、導管１１０または導管１１０の少なくとも一部は、上述されたように、鋼などの金属、または他の導電性材料から作成されてもよい。
【００１４】
図２、３、７、および８に示されたように、底壁１１２は遮蔽されているが、底壁１１２または底壁１１２の少なくとも一部は、遮蔽されないことが同様に企図される。
【００１５】
図１および２に示されたように、側壁１１２の高さは、指部１１３の高さに比べて比較的低く、したがって、側壁１１２および指部１１３は遮蔽される。逆に、図７および８に示されたように、側壁１１２の高さは、指部１１３の高さに比べて比較的高く、したがって、側壁１１２は遮蔽され、指部１１３は遮蔽されない。
【００１６】
図２を再度参照すると、被覆１２０は、１つの頂壁１２１および頂壁１２１から延びる１対の側壁１２２を含む。好ましくは、側壁１２２は、頂壁１２１のそれぞれの長手縁部に沿って延び、頂壁１２１に垂直である。
【００１７】
側壁１２２は、被覆１２０を導管１１０に固定するための、好ましくはその遠位端に配置された、ラッチ１２３を含む。ラッチ１２３は、導管１１０の指部１１３上の対応するラッチ１１８に係合する。
【００１８】
好ましくは、被覆１２０は、遮蔽されないが（図２および９）、被覆１２０または被覆１２０の少なくとも一部は遮蔽されることが同様に企図される。
【００１９】
図１および７に示されたように、導管１１０の側部は同じだが、導管１１０の側部は異なってもよいことが同様に企図される。例えば、図１１に示されたように、導管１１０は、図１のスロットのある側部に類似したスロットのある側部、および図７の側壁１１２に類似したスロットのある側部を含む。
【００２０】
図１２〜１７は、本発明の実施形態による、遮蔽分割壁２００を示す。
【００２１】
図１２および１３に示されたように、遮蔽分割壁２００は、１つの底壁２１０および底壁２１０から延びる１つの側壁２２０を含む。好ましくは、側壁２２０は、底壁２１０の長手縁部に沿って延び、底壁２１０に垂直である。ともに底壁２１０および側壁２２０は、そこを通る電線を経路指定するための、Ｌ字形チャネルなどのチャネル２３０を形成する。しかし、電線は、遮蔽分割２００の片面または両面のいずれかに沿って径路指定されてもよいことが同様に企図される。
【００２２】
底壁２１０は、遮蔽分割壁２００を電線路システムまたは工業制御システムなどの支持構造に装着するための、複数の装着開口２１１を含む。例えば、図１４に示されたように、遮蔽分割壁２００は、電線路システム３００内に配置され、導管３１０および被覆３２０を含み、電線路システム内に経路指定された電線間のノイズを最小にする。別法として、図１５に示されたように、遮蔽分割壁２００は、２つの電線路システム４００の間に配置され、導管４１０および被覆４２０を含み、電線路システム内に経路指定された電線間のノイズを最小にする。別法として、図１６および１７に示されたように、２つの遮蔽分割壁２００は、遮蔽電線路システム５００を形成するように配置され、遮蔽電線路システム５００は遮蔽電線路システム１００、およびより具体的には図１の導管１１０に類似している。ともに遮蔽分割壁２００の底壁２１０および側壁２２０は、そこを通る電線を経路指定するための、Ｕ字形チャネルなどのチャネル２４０を形成する。遮蔽分割壁２００は、工業制御システムなどの他のノイズ発生システム内もしくは間、および／または電線路システムとその他のノイズ発生システムとの間に配置されてもよい。
【００２３】
図１２および１３を再度参照すると、側壁２２０は複数の壁部２２１を含む。隣接する壁部２２１は、複数の架橋部品２２２によって連結され、複数の架橋部品２２２は、その間に複数のケーブル通過開口２２３を形成する。
【００２４】
壁部２２１のそれぞれは、複数のケーブル結束開口２２４を含む。好ましくは、ケーブル結束開口２２４は、隣接した壁部２２１間の導電性経路を維持するように、架橋部品２２２からずれている。
【００２５】
好ましくは、遮蔽分割壁２００は、鋼などの金属または他の導電性材料から作成されるが、遮蔽分割壁２００は、上述のように、ポリ塩化ビニル（「ＰＶＣ」）などのプラスチック、またはアルミニウム、銅、およびニッケルなどの金属もしくは他の導電性材料と組み合わせられた、他の非導電性材料から作成されることが同様に企図される。
【００２６】
図１２に示されたように、遮蔽分割壁２００は６つの壁部２２１を含むが、遮蔽分割壁２００は、あらゆる数の壁部２２１を含んでもよいことが同様に企図される。加えて、１つまたは複数の壁部２２１は、所望の長さを達成するために取り外されてもよい。例えば、壁部２２１は、剪断機またはハサミなどの切断具を使用して遮蔽分割壁２００から取り外されてもよい。別法として、遮蔽分割壁２００は、壁部２２１を工具なしで取り外すために、穿孔されるか、または刻み目をつけてもよい。
【００２７】
本発明を上記に概説した例示的実施形態に関連して説明したが、様々な代替形態、修正形態、変形形態、および／または改良形態は、公知であっても現在予期せぬことであっても、明らかになり得る。したがって、上記に説明したように本発明の例示的実施形態は、限定ではなく例示を意図する。本発明の精神および範囲から逸脱することなく、様々な変更がなされ得る。
【符号の説明】
【００２８】
１００，５００  ・・・遮蔽電線路システム
１１０  ・・・導管
１１１  ・・・底壁
１１２  ・・・側壁
１１３  ・・・指部
１１４  ・・・チャネル
１１５Ａ，１１５Ｂ  ・・・切欠き
１１６  ・・・スロット
１１７  ・・・架橋部品
１１８  ・・・ラッチ
１１９Ａ  ・・・導電層
１１９Ｂ  ・・・非導電層
１２０  ・・・被覆
１２１  ・・・頂壁
１２２  ・・・側壁
１２３  ・・・ラッチ
２００  ・・・遮蔽分割壁
２１０  ・・・底壁
２２０  ・・・側壁
２２２  ・・・架橋部品
２３０  ・・・チャネル
３００，４００  ・・・電線路システム
【図１】
2014503167.tif 000003
【図２】
2014503167.tif 000004
【図３】
2014503167.tif 000005
【図４】
2014503167.tif 000006
【図５】
2014503167.tif 000007
【図６】
2014503167.tif 000008
【図７】
2014503167.tif 000009
【図８】
2014503167.tif 000010
【図９】
2014503167.tif 000011
【図１０】
2014503167.tif 000012
【図１１】
2014503167.tif 000013
【図１２】
2014503167.tif 000014
【図１３】
2014503167.tif 000015
【図１４】
2014503167.tif 000016
【図１５】
2014503167.tif 000017
【図１６】
2014503167.tif 000018
【図１７】
2014503167.tif 000019
【国際調査報告】
2014503167.tif 000020
2014503167.tif 000021
2014503167.tif 000022